(57)【要約】【課題】透明トナーの印刷内容や印刷位置が分かりやすいプレビュー機能を提供する。【解決手段】透明画像データ及びＲＧＢ画像データを夫々解像度変換手段３０１及び３０２を用いてプレビュー画像の解像度に変換する。また、解像度変換したＲＧＢ画像データに対して階調変換手段３０３を用いて薄くなるような階調変換を行う。そして、合成手段３０４により、階調変換手段３０３から出力されるＲＧＢ画像データに解像度変換手段３０１から出力される透明画像データを合成し、プレビュー画像データとして画像表示装置に出力する。【選択図】図３
2011059445.tif 000002
【特許請求の範囲】
【請求項１】
プレビュー画像を表示可能な画像表示装置を備え、透明色材を用いた画像印刷が可能な画像形成装置において、
透明色材で印刷される画像データと透明色材以外の色材で印刷される画像データを入力する画像データ入力手段と、
前記画像データ入力手段から入力された画像データから、プレビュー画像を生成する画像生成手段と、を有し、
前記画像生成手段は、前記透明色材で印刷される画像領域が前記透明色材以外の色材で印刷される画像領域に比べ強調表示する画像を生成することを特徴とする画像形成装置。
【請求項２】
請求項１に記載された画像形成装置において、
前記画像生成手段は、前記透明色材で印刷される画像領域が前記透明色材以外の色材で印刷される画像領域に比べ前記画像表示装置で濃く表示されるプレビュー画像を生成することを特徴とする画像形成装置。
【請求項３】
請求項２に記載された画像形成装置において、
前記画像生成手段は、前記透明色材以外の色材で印刷される画像領域のプレビュー画像が、前記透明色材で印刷される画像領域のプレビュー画像よりも前記画像表示装置で薄く表示されるように、前記透明色材以外の色材で印刷される画像領域の画像データを階調変換する階調変換処理手段を有し、
透明色材で印刷される画像データと、前記階調変換手段により階調変換処理後の画像データを合成することによって前記画像表示装置に表示される画像を生成することを特徴とする画像形成装置。
【請求項４】
請求項２に記載された画像形成装置において、
前記画像生成手段は、
前記透明色材で印刷される画像データを所定の階調に変換する第一の階調変換処理と、
前記透明色材以外の色材で印刷される画画像領域のプレビュー画像よりも前記画像表示装置で薄く表示されるように、前記透明色材以外の色材で印刷される画像領域の画像データを階調変換する第二の階調変換処理と、を行い、
前記第一の階調変換処理後の画像データと前記第二の階調変換処理後の画像データを合成することによって前記画像表示装置に表示される画像を生成することを特徴とする画像形成装置。
【請求項５】
請求項１に記載された画像形成装置において、
前記画像生成手段は、前記透明色材で印刷される画像領域が有彩色で、前記透明色材以外の色材で印刷される画像領域が無彩色で表示される画像を生成することを特徴とする画像形成装置。
【請求項６】
請求項５に記載された画像形成装置において、
前記透明色材で印刷される画像領域が所定の色相の有彩色で階調表現されることを特徴とする画像形成装置。
【請求項７】
請求項１ないし６のいずれかに記載された画像形成装置において、
前記画像表示装置は、
前記透明色材と前記透明色材以外の色材を用いて印刷される画像の両方を表示する第一の表示モードと、
前記透明色材以外の色材を用いて印刷される画像のみを表示する第二の表示モードと、を有し、
ユーザによって前記第一の表示モードと第二の表示モードを選択可能なモード選択手段を有することを特徴とする画像形成装置。
【請求項８】
透明色材を用いた画像印刷が可能な画像形成装置におけるプレビュー画像の生成方法であって、
透明色材で印刷される画像データと透明色材以外の色材で印刷される画像データを入力する画像データ入力工程と、
前記画像データ入力手段から入力された画像データから、プレビュー画像を生成する画像生成工程と、を有し、
前記画像生成工程は、前記透明色材で印刷される画像領域が前記透明色材以外の色材で印刷される画像領域に比べ強調表示する画像を生成することを特徴とするプレビュー画像の生成方法。
【請求項９】
請求項８に記載された透明色材を用いた画像印刷が可能な画像形成装置におけるプレビュー画像の生成方法において、
前記画像生成工程で、前記透明色材で印刷される画像領域が前記透明色材以外の色材で印刷される画像領域に比べ濃く表示される画像を生成することを特徴とするプレビュー画像の生成方法。
【請求項１０】
請求項９に記載された透明色材を用いた画像印刷が可能な画像形成装置におけるプレビュー画像の生成方法において、
前記画像生成工程で、前記透明色材以外の色材で印刷される画像領域のプレビュー画像よりも前記画像表示装置で薄く表示されるように、前記透明色材以外の色材で印刷される画像領域の画像データを階調変換する階調変換処理を行い、透明色材で印刷される画像データと、前記階調変換手段により階調変換処理後の画像データを合成することによって前記画像表示装置に表示される画像を生成することを特徴とするプレビュー画像の生成方法。
【請求項１１】
請求項９に記載された透明色材を用いた画像印刷が可能な画像形成装置におけるプレビュー画像の生成方法において、
前記画像生成工程で、前記透明色材で印刷される画像データを所定の階調に変換する第一の階調変換処理と、前記透明色材以外の色材で印刷される画像領域のプレビュー画像よりも前記画像表示装置で薄く表示されるように、前記透明色材以外の色材で印刷される画像領域の画像データを階調変換する第二の階調変換処理と、を行い、
前記第一の階調変換処理後の画像データと前記第二の階調変換処理後の画像データを合成することによって前記画像表示装置に表示される画像を生成することを特徴とするプレビュー画像の生成方法。
【請求項１２】
請求項８に記載された透明色材を用いた画像印刷が可能な画像形成装置におけるプレビュー画像の生成方法において、
前記画像生成手段は、前記透明色材で印刷される画像領域が有彩色で、前記透明色材以外の色材で印刷される画像領域が無彩色で表示される画像を生成することを特徴とするプレビュー画像の生成方法。
【請求項１３】
請求項１２に記載された透明色材を用いた画像印刷が可能な画像形成装置におけるプレビュー画像の生成方法において、
前記透明色材で印刷される画像領域が所定の色相の有彩色で階調表現されることを特徴とするプレビュー画像の生成方法。
【請求項１４】
請求項８ないし１３のいずれかに記載された透明色材を用いた画像印刷が可能な画像形成装置におけるプレビュー画像の生成方法において、
前記画像表示工程は、前記透明色材と前記透明色材以外の色材を用いて印刷される画像の両方を表示する第一の表示モードと、前記透明色材以外の色材を用いて印刷される画像のみを表示する第二の表示モードと、を有し、
ユーザによって前記第一の表示モードと第二の表示モードが選択可能であることを特徴とするプレビュー画像の生成方法。
【請求項１５】
プレビュー画像を表示可能な画像表示装置を備え、透明色材を用いた画像印刷が可能な画像形成装置のコンピュータを、
透明色材で印刷される画像データと透明色材以外の色材で印刷される画像データを入力する画像データ入力手段と、
前記画像データ入力手段から入力された画像データから、プレビュー画像を生成する画像生成手段として機能させるプログラムであって、
前記画像生成手段は、前記透明色材で印刷される画像領域が前記透明色材以外の色材で印刷される画像領域に比べ強調表示する画像を生成することを特徴とするプログラム。
【発明の詳細な説明】
【技術分野】
【０００１】
本発明は、有色の色材に加えて透明の色材を用いて画像形成を行うデジタル複合機（ＭＦＰ）などの画像形成装置に関し、とくに印刷前のプレビュー画像を表示する画像表示装置を備えた画像形成装置、プレビュー画像の生成方法及びプログラムに関する。
【背景技術】
【０００２】
従来から、電子写真方式の画像形成装置において、ＣＭＹＫトナーに加えて透明トナーを用いることにより、出力画像に光沢をもたせ、透過光の乱反射を防止し、クリアで彩度の高い、原稿画像に忠実な投影画像を得るための技術が種々知られている。
【０００３】
例えば、ＹＭＣＫトナー画像に重なる透明トナー画像用の透明成分信号を作成し、転写紙上の画像領域に付着した各トナー総量がほぼ一様となるように、透明トナーの付着量を制御する方法が提案されている（特許文献１参照）。
また、カラー出力画像が形成される領域を複数個の小領域に分割し、小領域毎にカラー出力画像を形成するための必要なカラー色材の予測量に応じて、小領域毎に透明色材の重畳量を算出し、カラー色材の量が多い小領域に対しては、透明色材の重畳量は少なく、かつカラー色材の量が少ない小領域に対しては、透明色材の重畳量を多くして、出力全体に対して適切な光沢を与える方法も提案されている（特許文献２参照）。
さらに、偽造防止や抑制、原本保証などを目的として、透明トナーで透かし（ウォーターマーク）画像を印刷することも知られている（特許文献３参照）。
【０００４】
このように透明トナーを用いた印刷はよく知られているが、これをいわゆるプレビュー画面で確認することは容易ではない。即ち、近年のＭＦＰ（多機能プリンタ）のようなデジタル複合機には、操作部の液晶ディスプレイやホストＰＣの画面に画像データのプレビュー画像（画像印刷前に画像表示装置に表示される画像をいう）表示機能（以下プレビュー機能）が搭載されており、ユーザは、プレビュー機能を利用することにより、印刷する画像データやネットワーク配信する画像データ等を出力する前に、当該画像データの画像を予め確認することができる。しかし、有色トナーで印刷したプレビュー画像と透明トナーで印刷したプレビュー画像は画面上で分別し難いという問題がある。
【０００５】
そこで、この問題に対して、例えば、透明トナー印刷位置にある、ＣＭＹＫトナーで印刷される画像の色を検出し、その色と重ならない色を透明トナーの表示色としてプレビューで表示する方法が提案されている（特許文献４参照）。
しかしながら、印刷される画像が色数の多い画像であると、どの部分に透明トナーが印刷されるのかが分かり難いという問題が残る。また、画像によって透明トナーの表示色が変わることも、使用者にとって分かり難いことがある。
【発明の概要】
【発明が解決しようとする課題】
【０００６】
本発明は、上記従来の問題に鑑みてなされたものであって、その目的は、画像形成装置の画像表示装置において、透明トナーの印刷内容や印刷位置を分かり易く表示できるようにすることである。
【課題を解決するための手段】
【０００７】
（１）本発明は、プレビュー画像を表示可能な画像表示装置を備え、透明色材を用いた画像印刷が可能な画像形成装置において、透明色材で印刷される画像データと透明色材以外の色材で印刷される画像データを入力する画像データ入力手段と、前記画像データ入力手段から入力された画像データから、プレビュー画像を生成する画像生成手段と、を有し、前記画像生成手段は、前記透明色材で印刷される画像領域が前記透明色材以外の色材で印刷される画像領域に比べ強調表示する画像を生成することを特徴とする画像形成装置である。
（２）本発明は、透明色材を用いた画像印刷が可能な画像形成装置におけるプレビュー画像の生成方法であって、透明色材で印刷される画像データと透明色材以外の色材で印刷される画像データを入力する画像データ入力工程と、前記画像データ入力手段から入力された画像データから、プレビュー画像を生成する画像生成工程と、を有し、前記画像生成工程は、前記透明色材で印刷される画像領域が前記透明色材以外の色材で印刷される画像領域に比べ強調表示する画像を生成することを特徴とする前記プレビュー画像の生成方法である。
（３）本発明は、プレビュー画像を表示可能な画像表示装置を備え、透明色材を用いた画像印刷が可能な画像形成装置のコンピュータを、透明色材で印刷される画像データと透明色材以外の色材で印刷される画像データを入力する画像データ入力手段と、前記画像データ入力手段から入力された画像データから、プレビュー画像を生成する画像生成手段として機能させるプログラムであって、前記画像生成手段は、前記透明色材で印刷される画像領域が前記透明色材以外の色材で印刷される画像領域に比べ強調表示する画像を生成することを特徴とするプログラムである。
【発明の効果】
【０００８】
本発明によれば、透明色材で印刷される画像領域が透明色材以外の色材で印刷される画像領域よりも強調して表示することができる。そのため、プレビュー機能を用いて画像を表示したとき、透明トナーの印刷内容や印刷位置が分かりやすい。
【図面の簡単な説明】
【０００９】
【図１】本実施の形態にかかるＭＦＰの概略構成を示すブロック図である。
【図２】ＨＤＤに蓄積された画像データの一例を示す図である。
【図３】第一の実施形態のプレビュー画像の生成方法を示す機能ブロック図である。
【図４】入力画像に対する出力画像の階調変換ＬＵＴ図である。
【図５】図５Ａは、ＲＧＢ画像データに対して階調変換を行った画像を示す図であり、図５Ｂは、透明画像データを示す図であり、図５Ｃは、透明画像データとＲＧＢ画像データを合成した画像を示す図である。
【図６】第二の実施形態のプレビュー画像の生成方法を示す機能ブロック図である。
【図７】図７Ａは、第二の実施形態のＲＧＢ画像データを示す図であり、図７Ｂは、第二の実施形態の透明画像データを示す図であり、図７Ｃは、ＲＧＢ画像データと透明画像データの合成後の画像データを示す図である。
【図８】図８Ａは、ＲＧＢ画像データを示す図であり、図８Ｂは、図７Ｂの透明画像データより大きく表示した透明画像データを示す図であり、図８Ｃは、ＲＧＢ画像データと透明画像データの合成後の画像データを示す図である。
【図９】第三の実施形態のプレビュー画像の生成方法を示す機能ブロック図である。
【発明を実施するための形態】
【００１０】
以下、本発明を実施するための形態について、添付した図面を参照して説明する。
【００１１】
図１は、本実施の形態に係る、プリンタ、ファクシミリ、スキャナ、コピー又はこれらの機能を複合したＭＦＰ（Multi Function Peripheral）の概略構成を示すブロック図である。
図１において、ＭＦＰ１０は、画像入力手段としての読取装置１０１、画像データ処理装置１０２と１０４、バス制御装置１０３、画像データを蓄積する蓄積手段としてのＨＤＤ（Hard Disk Drive）１０５、ＭＦＰ１０全体を制御するＣＰＵ（Central Processing Unit）１０６、メモリ１０７、プロッタＩ／Ｆ装置１０８、画像データをプリント出力するプロッタ装置１０９、ユーザが画像データの利用機能を選択する機能選択手段としての操作表示装置１１０、外部のファクシミリ（ＦＡＸ）１１５との間で画像データの授受を行う回線Ｉ／Ｆ装置１１１、外部のパーソナルコンピュータ（ＰＣ）１１６との間で画像データの授受を行うネットワーク配信用の外部Ｉ／Ｆ装置１１２、Ｓ．Ｂ．（South Bridge）１１３、およびＲＯＭ（Read Only Memory）１１４などにより構成されている。
【００１２】
読取装置（スキャナ）１０１は、例えば、解像度６００ｄｐｉで原稿をスキャンすることで得られる原稿の濃淡情報から、Ｒ（赤）、Ｇ（緑）、Ｂ（青）の各色８ビットのデジタル画像データを生成して、画像データ処理装置１０２へ出力する装置である。
【００１３】
画像データ処理装置１０２は、読取装置１０１で生成されたデジタル画像データに対して所要の画像処理を施し、バス制御装置１０３へ出力する装置である。
【００１４】
バス制御装置１０３は、ＭＦＰ１０内で必要な画像データや制御コマンド等の各種データのやり取りを行うデータバスの制御装置である。
【００１５】
ＨＤＤ１０５は、読取装置１０１で読み取られたデジタル画像データ、画像データ処理装置１０２で画像処理されたデジタル画像データ、あるいは画像データ処理装置１０４で画像処理されたデジタル画像データ、およびそれらの付帯情報などを蓄積するための大容量記憶装置である。
【００１６】
画像データ処理装置１０４は、画像データ処理装置１０２で処理されたデジタル画像データ、あるいは、ＨＤＤ１０５から読み出されたデジタル画像データに対して所要の画像処理を施し、バス制御装置１０３へ出力する装置である。
【００１７】
回線Ｉ／Ｆ装置１１１は、ＭＦＰ１０とその装置外にあるＦＡＸ１１５との間で電話回線を介して接続され、画像データの授受を行う装置である。
【００１８】
外部Ｉ／Ｆ装置１１２は、ＭＦＰ１０とその装置外にあるＰＣ１１６との間でイーサネット（登録商標）などのネットワークを介して接続され、各種制御データや画像データの入出力を行う装置である。
【００１９】
Ｓ．Ｂ．１１３は、サウスブリッジ（South Bridge）と呼ばれるバスのブリッジ機能を汎用回路化したものである。
【００２０】
プロッタＩ／Ｆ装置１０８は、ＣＰＵ１０６から送られてくるＣＭＹＫ４色分〔Ｃ（シアン）、Ｍ（マゼンタ）、Ｙ（イエロー）、Ｋ（ブラック）〕のデジタル画像データを受け取って、プロッタ装置１０９の専用インタフェースに出力するものである。
【００２１】
プロッタ装置１０９は、ＣＭＹＫ４色分のデジタル画像データを受け取ると、レーザビームを用いた電子写真プロセスなどにより、転写紙に画像出力する装置である。
【００２２】
操作表示装置１１０は、ＭＦＰ１０とユーザのインタフェースを行う部分であり、ＭＦＰ１０の様々な状態や操作方法を促すための表示を行うＬＣＤ（液晶ディスプレイ）と、利用者からの入力指示を検知するスイッチ群とを有して構成される。
ＬＣＤには、プロッタ１０９から出力される出力画像データまたは回線Ｉ／Ｆ装置１１１や外部Ｉ／Ｆ装置１１２を介して出力される出力画像データのプレビュー画像を表示することが可能である。また、スイッチ群には、プレビュー画像を表示する「プレビュー機能」を選択するキースイッチ、および表示されたプレビュー画像を変倍する倍率を入力指示するキースイッチなどが設けられている。
【００２３】
ＣＰＵ１０６は、ＭＦＰ１０の全体を制御するためのマイクロプロセッサである。
このシステム全体の動作を制御するＣＰＵ１０６は、このシステムの主記憶装置として使用されるＲＯＭ１１４に記憶されたプログラムに基づいて各種処理を実行する。
メモリ１０７は、ＣＰＵ１０６がＭＦＰ１０の制御を行う際に、プログラムや中間処理データを一時的に記憶するためなどに使用される揮発性メモリである。
ＲＯＭ１１４は、この発明の記憶媒体を実施するものであり、ＣＰＵ１０６がＭＦＰ１０の制御を行う際のプログラムなどが格納されるメモリである。
このシステム全体の動作を制御するＣＰＵ１０６は、このシステムの主記憶装置として使用されるＲＯＭ１１４に記憶されたプログラムに基づいて各種処理を実行する。
【００２４】
なお、記憶媒体としては、ＲＯＭ１１４のみならずＣＤ（Compact Disk）−ＲＯＭ、ＤＶＤ（Digital Versatile Disk）などの各種の光ディスク、各種光磁気ディスク、フレキシブルディスクなどの各種磁気ディスク等、半導体メモリ等の各種方式のメディアを用いることができる。また、外部Ｉ／Ｆ装置１１２を介してインターネットなどのネットワークからプログラムをダウンロードし、ＨＤＤ１０５にインストールするようにしてもよい。この場合に、送信側のサーバでプログラムを記憶している記憶装置も、この発明における記憶媒体である。なお、プログラムは、所定のＯＳ（Operating System）上で動作するものであってもよく、その場合に後述する各種処理の一部の実行をＯＳに肩代わりさせるものであってもよい。また、所定のアプリケーションソフトやＯＳなどを構成する一群のプログラムファイルの一部として含まれるものであってもよい。
【００２５】
以下、本発明の特徴に係る部分について説明する。
透明トナーを用いて印刷する場合、ＭＦＰ１０の装置外にあるＰＣ１１６からＣＭＹＫＴまたはＲＧＢＴ（Ｔは透明トナー用）の画像データが入力されると、その画像データはＨＤＤ１０５に蓄積した後、印刷される。また、読取装置１０１でスキャンしてＨＤＤ１０５に蓄積されたＲＧＢ画像を、ＣＭＹＫトナーで印刷し、ＰＣ１１６から入力されてＨＤＤ１０５に蓄積された画像を透明トナーで印刷することも可能である。
次に、ＨＤＤ１０５内に蓄積された画像データからプレビュー画像データを生成し、操作表示装置１１０の画面にプレビュー画像を表示する。
【００２６】
第一の実施形態
図２はＨＤＤ１０５に蓄積された画像データの一例を示す図である。
図２Ａは、ＲＧＢ（またはＣＭＹＫ）画像データであり、文字２０１、線画２０２、写真２０３からなる画像である。図２Ｂは、透明画像データであり、透明トナーで印刷する領域を黒、透明トナーで印刷しない画像を白とした画像である。矩形領域２０４は写真２０３と同じ画像位置にあり、写真２０３の領域に透明トナーで光沢を付加して印刷する。
【００２７】
図３は、本実施形態のプレビュー画像の生成方法を示す機能ブロック図である。
なお、以下の説明では、図２ＡはＲＧＢ画像で各色の画素値を８bit（０〜２５５）で表し、（Ｒ，Ｇ，Ｂ）=（０,０,０）を黒とする。また図２Ｂは透明トナーで印刷する領域である黒の画素値を０とし、透明トナーで印刷しない領域である白の画素値を２５５とする。
図３において、解像度変換手段３０１及び３０２は、それぞれ透明画像データ及びＲＧＢ画像データをプレビュー画像の解像度に変換する。この解像度変換手段は公知の技術を用いればよいので、詳細は省略する。
階調変換手段３０３は、ＲＧＢ画像データに対して薄くなるような階調変換を行う。この階調変換は図４に示すＬＵＴ（ルックアップテーブル）を用いた変換をＲＧＢのそれぞれに対して行うことで可能である。
【００２８】
図４は、入力画像に対する出力画像の階調変換ＬＵＴ図である。図４に示すように、（Ｒ，Ｇ，Ｂ）＝（０，０，０）を黒とした場合、入力（０，０，０）に対して出力（２００，２００，２００）というように、薄くなって出力される。
【００２９】
図５Ａは、図２ＡのＲＧＢ画像データを解像度変換した画像に対して階調変換を行った画像であり、全体的に薄い画像となる。
合成手段３０４（図３）は、階調変換手段３０３から出力されるＲＧＢ画像データ（図３Ａ）に解像度変換手段３０１から出力される透明画像データ（図５Ｂ）を合成し、プレビュー画像データ（図５Ｃ）として出力する。
ここで合成方法として、ＲＧＢ各データと透明画像データの小さい方の値（濃い方）を出力する。
【００３０】
図５Ｃの画像は、透明トナーが印刷されない文字５０１と線画５０２の領域は薄く表示され、透明トナーが印刷される写真５０３の領域だけが濃く表示されるので、透明トナー画像の印刷内容や印刷位置を分かりやすくプレビュー表示することができる。
なお、ユーザが操作表示装置１１０のキースイッチからプレビュー画像の表示モードを選択できるように、モード選択手段を有する構成にすることが望ましい。第一の表示モードはＣＭＹＫトナーで印刷される画像のみ（例えば、図２Ａの画像）を表示し、第二の表示モードは本実施形態で説明した透明トナー用画像を強調した画像（例えば、図５Ｃ）を表示すればよい。
【００３１】
第二の実施形態
図６は、本実施形態のプレビュー画像の生成方法を示す機能ブロック図である。なお、解像度変換手段６０１及び６０２は上述の第一の実施形態の図３の解像度変換手段３０１及び３０２と同じである。
図６において、階調変換手段６０３は、透明画像データを解像度変換した画像に対して階調変換を行う。次に、階調変換ＬＵＴ（図４）を利用して、透明トナー（図２Ｂ）が印刷される領域の画素値０（黒）を、例えば画素値５０に変換する（図７Ｂ）。これにより、透明トナーが印刷される領域が黒から濃いグレーに変換される。
階調変換手段６０４は、前述の第一の実施形態と同様に、図２ＡのＲＧＢ画像データを解像度変換した画像に対して薄くなるような階調変換を行う（図７Ａ）。
合成手段６０５は、階調変換手段６０３から出力される透明画像データ（図７Ｂ）と階調変換手段６０４から出力されるＲＧＢ画像データ（図７Ａ）を合成し、プレビュー画像データ（図７Ｃ）として出力する。
【００３２】
ここで合成方法は以下の算出式で表される。Ｒ’、Ｇ’、Ｂ’は合成後のデータである（Ｔは透明画像の画素値、Ｒ、Ｇ、ＢはそれぞれのＲ、Ｇ、Ｂ画像の画素値である）。
Ｒ’＝Ｔ＋Ｒ−２５５
Ｇ’＝Ｔ＋Ｇ−２５５
Ｂ’＝Ｔ＋Ｂ−２５５
ただし、Ｒ’、Ｇ’、Ｂ’が０未満になる場合は０を出力する。
【００３３】
図７Ｃの画像は、透明トナーが印刷されない文字７０１と線画７０２の領域は薄く表示され、透明トナーが印刷される写真７０３の領域だけが濃く表示される。さらに、写真７０３の領域は階調があるので、透明トナーが印刷される領域におけるＲＧＢ画像の内容も分かる。
【００３４】
図８Ａは図２Ａと同じＲＧＢ画像データであり、図８Ｂは透明画像データであるが、透明トナーが印刷される領域８０４が図８Ａの写真８０３に比べて大きい。このような画像が入力された場合のプレビュー画像は図８Ｃのようになり、プレビュー表示の領域８０７と領域８０８の大きさが一致していないことがわかる（図８では、領域８０３と８０４の大きさが違うことを明確に表示するために、夫々異なる斜線を塗った領域に代えた）。つまり、プレビュー表示された画像を見て、透明トナーが印刷される領域８０４と写真８０３の領域が一致していないことが分かる。
【００３５】
本実施形態の構成にすることにより、透明トナーが印刷される領域の大きさや位置が適切であるか否かが分かりやすくなる。
なお、本実施形態では、階調変換手段６０３で透明トナーで印刷する領域の画素値０（黒）を画素値５０（グレー）に変換するとしたが、この変換する画素値は操作表示装置の画面の特性に応じて適切な値に設定すればよい。具体的には、図８Ｃの透明トナーが印刷されない領域８０５、８０６と透明トナーが印刷される領域８０８で表示される濃度差が十分にあり、かつ、領域８０８の中で階調がある程度表現されるように設定すればよい。
【００３６】
第三の実施形態
図９は、本実施形態のプレビュー画像の生成方法を示す機能構成図である。なお、解像度変換手段９０１及び９０２は第一の実施形態及び第二の実施形態と同じである。
図９において、色変換手段９０３は、ＲＧＢ画像データ（図２Ａ）を解像度変換した画像に対して、透明トナーが印刷される領域は有彩色に、透明トナーが印刷されない領域は無彩色になるように色変換する。
透明トナーが印刷されない領域、つまり、透明画像データ（図２Ｂ）を解像度変換した画像の画素値２５５の領域においては、（Ｒ，Ｇ，Ｂ）＝（Ｙ，Ｙ，Ｙ）に変換する。ここでＹは、ＲＧＢから輝度信号に変換した値であり、例えば以下の算出式で求められる。
Ｙ＝０．２９９Ｒ＋０．５８７Ｇ＋０．１１４Ｂ
【００３７】
透明トナーが印刷される領域、つまり、図２Ｂの透明画像データを解像度変換した画像の画素値０の領域においては、（Ｒ，Ｇ，Ｂ）＝（２５５，Ｘ，Ｘ）に変換する。ここでＸは、以下の算出式で求められる値である。
Ｘ＝ＩＮＴ（Ｙ／α）
ここでＩＮＴ（）は、小数点を切り捨てて整数にすることを意味する。例えば、αを２とした場合、透明トナーが印刷される領域では、ＲＧＢ画像データは、ＲＧＢ画像データが（Ｒ，Ｇ，Ｂ）＝（０，０，０）の黒のとき、（Ｒ，Ｇ，Ｂ）＝（２５５，０，０）という赤色に変換される。また、ＲＧＢ画像データが（Ｒ，Ｇ，Ｂ）＝（２５５，２５５，２５５）の白のとき、（Ｒ，Ｇ，Ｂ）＝（２５５，１２７，１２７）という薄い赤色に変換される。
つまり、赤色の色相でＲＧＢ画像データの値に応じた階調値に変換される。
【００３８】
以上の構成により、透明トナーが印刷されない領域は無彩色でプレビュー表示され、透明トナーが印刷される領域では、特定の色相の有彩色（本実施例では赤色）でＲＧＢ画像データに応じた階調値でプレビュー表示される。
したがって、プレビュー表示画像において、透明トナーが印刷される領域と、透明トナーが印刷されない領域とを明確に識別することができる。
【符号の説明】
【００３９】
１０・・・ＭＦＰ、１０１・・・読取装置、１０２、１０４・・・画像データ処理装置、１０３・・・バス制御装置、１０５・・・ＨＤＤ、１０６・・・ＣＰＵ、１０７・・・メモリ、１０８・・・プロッタＩ／Ｆ装置、１０９・・・プロッタ装置、１１０・・・操作表示装置、１１１・・・回線Ｉ／Ｆ装置、１１２・・・外部Ｉ／Ｆ装置、１１３・・・Ｓ．Ｂ．、１１４・・・ＲＯＭ、１１５・・・ＦＡＸ、１１６・・・ホストＰＣ。
【先行技術文献】
【特許文献】
【００４０】
【特許文献１】特許第３１４６３６７号公報
【特許文献２】特開平１０−５５０８９号公報
【特許文献３】特開２００４−１２８８０号公報
【特許文献４】特開２００８−１４５７８４号公報
【図１】
2011059445.tif 000003
【図２】
2011059445.tif 000004
【図３】
2011059445.tif 000005
【図４】
2011059445.tif 000006
【図５】
2011059445.tif 000007
【図６】
2011059445.tif 000008
【図７】
2011059445.tif 000009
【図８】
2011059445.tif 000010
【図９】
2011059445.tif 000011
【手続補正書】
【提出日】平成22年7月30日(2010.7.30)
【手続補正１】
【補正対象書類名】図面
【補正対象項目名】図７
【補正方法】変更
【補正の内容】
【図７】
2011059445.tif 000012